(57)【要約】【課題】代替機で画像処理を実行するための情報取得の処理制御手順を確立する。【解決手段】演算部１０６は、原稿サイズ及び用紙方向、面付け情報、用紙フル印刷の実行の要否情報を取得する。面付けの配置、用紙フル印刷実行の場合には、サイズ判定、サイズ判定結果に基づく画像の拡大率又は縮小率の演算が実行される。頁サイズ決定部１１２は、演算部１０６から画像の拡大率又は縮小率に関する情報を受け取ると、頁サイズを決定し、用紙サイズ決定部１１４へ送出する。用紙サイズ情報読出部１１６では、読み出した用紙サイズ情報を用紙サイズ決定部１１４へ送出する。用紙サイズ決定部１１４では、頁サイズに基づいて最適な用紙サイズを決定し、決定した用紙サイズ情報を出力部１０８へ送出する。【選択図】図１０
2018018244.tif 000002
【特許請求の範囲】
【請求項１】
連続紙を用いた印刷を指示された原稿情報と、連続紙に印刷するときに設定されるサイズ情報、面付け情報、及び、倍率編集を実行するか否かを指示する指示情報を含む印刷情報とを取得する取得手段と、
前記取得手段で取得した原稿情報及び印刷情報から、各頁の画像サイズを演算する演算手段と、
前記演算手段で演算された画像サイズに適合するカット紙のサイズを決定する決定手段と、
前記決定手段で決定したカット紙のサイズを示すカット紙サイズ情報を前記原稿情報に付加して出力する出力手段と、
を有する画像処理制御装置。
【請求項２】
前記印刷情報を予め複数種類取得して記憶する第１の記憶手段をさらに有し、
前記取得手段が、印刷指示の際に原稿情報に付加された識別情報を用いて、前記第１の記憶手段から、前記識別情報に対応する印刷情報を読み出す請求項１記載の画像処理制御装置。
【請求項３】
予め設定された適用可能な複数のカット紙サイズ情報を格納する第２の記憶手段をさらに有し、
前記決定手段が、前記第２の記憶手段に記憶された複数のカット紙サイズ情報の中から、適合するカット紙のサイズを決定する請求項１又は請求項２記載の画像処理制御装置。
【請求項４】
前記原稿情報に基づく原稿サイズを示す画像と、前記演算手段で演算された画像サイズを示す画像と、前記決定手段で決定されたカット紙のサイズを示す画像とを、視覚を通じて報知する報知手段をさらに有する請求項１〜請求項３の何れか１項記載の画像処理制御装置。
【請求項５】
請求項１〜請求項４の画像処理制御装置を備え、印刷情報に基づきカット紙を用いて原稿画像を印刷すると共に、
前記画像処理制御装置が、被代替機から受け付けた原稿情報及び印刷情報に基づいて、代替機として画像を形成する画像形成装置。
【請求項６】
請求項１〜請求項４の画像処理制御装置を備え、印刷情報に基づき連続紙を用いて原稿画像を印刷すると共に、
前記画像処理制御装置が、被代替機として受け付けた原稿情報及び印刷情報に基づいて、代替機へサイズ情報と原稿情報とを出力する画像形成装置。
【請求項７】
コンピュータに、
連続紙を用いた印刷を指示された原稿情報と、当該原稿情報を連続紙に印刷するときに設定されるサイズ情報、面付け情報、及び、倍率編集を実行するか否かを指示する指示情報を含む印刷情報を取得し、
取得した原稿情報及び印刷情報から、各頁の画像サイズを演算し、
演算された画像サイズに適合するカット紙のサイズを決定し、
決定したカット紙のサイズを示すカット紙サイズ情報を前記原稿情報に付加して出力することを、
実行させる画像処理制御プログラム。
【発明の詳細な説明】
【技術分野】
【０００１】
本発明は、画像処理制御装置、画像形成装置、画像処理制御プログラムに関する。
【背景技術】
【０００２】
従来、ロール紙に代表される連続用紙に、複数頁にわたる画像データに基づいて、各頁の画像を面付けして印刷する画像形成装置（以下、基機という）では、予め定めた連続用紙の１単位の領域（１物理用紙））の中に、複数頁分の画像を面付けする。このとき、１単位の領域と、面付けした画像が占有する領域との関係に基づいて、画像データを編集処理（例えば、拡大処理又は縮小処理）して印刷する場合がある。
【０００３】
ここで、基機とは異なる代替機で画像処理を実行する場合、画像処理に必要な情報として、基となる原稿の画像データだけでは、編集処理の状況が不明であり、対応しきれない場合が生じる。代替機は、連続用紙を用いた画像形成装置に限らず、予め定められたサイズに断裁されたカット紙をトレイから持ち出して印刷する画像形成装置を含む。
【０００４】
特許文献１には、ジョブの書式サイズがカット紙プリンタに装着されている用紙サイズと一致しない場合でも、オペレータの介入なく連続で印刷したい場合に、予め優先順位によって印刷用紙サイズを決定しておくことが記載されている。すなわち、ジョブの書式サイズとプリンタの用紙サイズが異なる場合は、印刷用紙サイズを給紙するよう通知し、その用紙サイズに応じて、縮小・拡大して印刷を行う。
【０００５】
また、特許文献２には、再印刷時に元の用紙と異なる用紙が連続紙プリンタに装着されていても面付け定義を変更することなく再印刷したい場合に、基本面付け定義で指定された用紙サイズとプリンタの用紙サイズが異なる場合は、別の面付け定義を選択させ、選択された面付け定義に基づいて面付け処理を行うことが記載されている。
【先行技術文献】
【特許文献】
【０００６】
【特許文献１】特開平５−２１２９３４号公報
【特許文献２】特開２００７−３０４７８８号公報
【発明の概要】
【発明が解決しようとする課題】
【０００７】
代替機での画像処理を実行するための情報取得の処理制御手順が確立されておらず、オペレータの手作業を強いられている。
【０００８】
本発明は、代替機で画像処理を実行するための情報取得の処理制御手順を確立することができる画像処理制御装置、画像形成装置、画像処理制御プログラムを得ることが目的である。
【課題を解決するための手段】
【０００９】
請求項１に記載の発明は、連続紙を用いた印刷を指示された原稿情報と、連続紙に印刷するときに設定されるサイズ情報、面付け情報、及び、倍率編集を実行するか否かを指示する指示情報を含む印刷情報とを取得する取得手段と、前記取得手段で取得した原稿情報及び印刷情報から、各頁の画像サイズを演算する演算手段と、前記演算手段で演算された画像サイズに適合するカット紙のサイズを決定する決定手段と、前記決定手段で決定したカット紙のサイズを示すカット紙サイズ情報を前記原稿情報に付加して出力する出力手段と、を有する画像処理制御装置である。
【００１０】
請求項２に記載の発明は、前記請求項１に記載の発明において、前記印刷情報を予め複数種類取得して記憶する第１の記憶手段をさらに有し、前記取得手段が、印刷指示の際に原稿情報に付加された識別情報を用いて、前記第１の記憶手段から、前記識別情報に対応する印刷情報を読み出す。
【００１１】
請求項３に記載の発明は、前記請求項１又は請求項２記載の発明において、予め設定された適用可能な複数のカット紙サイズ情報を格納する第２の記憶手段をさらに有し、前記決定手段が、前記第２の記憶手段に記憶された複数のカット紙サイズ情報の中から、適合するカット紙のサイズを決定する。
【００１２】
請求項４に記載の発明は、前記請求項１〜請求項３の何れか１項記載の発明において、前記原稿情報に基づく原稿サイズを示す画像と、前記演算手段で演算された画像サイズを示す画像と、前記決定手段で決定されたカット紙のサイズを示す画像とを、視覚を通じて報知する報知手段をさらに有する。
【００１３】
請求項５に記載の発明は、請求項１〜請求項４の画像処理制御装置を備え、印刷情報に基づきカット紙を用いて原稿画像を印刷すると共に、前記画像処理制御装置が、被代替機から受け付けた原稿情報及び印刷情報に基づいて、代替機として画像を形成する画像形成装置である。
【００１４】
請求項６に記載の発明は、請求項１〜請求項４の画像処理制御装置を備え、印刷情報に基づき連続紙を用いて原稿画像を印刷すると共に、前記画像処理制御装置が、被代替機として受け付けた原稿情報及び印刷情報に基づいて、代替機へサイズ情報と原稿情報とを出力する画像形成装置である。
【００１５】
請求項７に記載の発明は、コンピュータに、連続紙を用いた印刷を指示された原稿情報と、連続紙に印刷するときに設定されるサイズ情報、面付け情報、及び、倍率編集を実行するか否かを指示する指示情報を含む印刷情報を取得し、取得した原稿情報及び印刷情報から、各頁の画像サイズを演算し、演算された画像サイズに適合するカット紙のサイズを決定し、決定したカット紙のサイズを示すカット紙サイズ情報を前記原稿情報に付加して出力することを、実行させる画像処理制御プログラムである。
【発明の効果】
【００１６】
請求項１に記載の発明によれば、代替機で画像処理を実行するための情報取得の処理制御手順を確立することができる。
【００１７】
請求項２に記載の発明によれば、事前処理として必要情報である連続紙印刷情報を記憶しておくことができる。
【００１８】
請求項３に記載の発明によれば、事前処理として必要情報であるカット紙サイズ情報を記憶しておくことができる
請求項４に記載の発明によれば、代替印刷の状況を、視覚を通じて確認することができる。
【００１９】
請求項５に記載の発明によれば、代替処理制御を、代替印刷側の画像形成装置で実行することができる。
【００２０】
請求項６に記載の発明によれば、代替処理制御を、被代替印刷側の画像形成装置で実行することができる。
【００２１】
請求項７に記載の発明によれば、代替機で画像処理を実行するための情報取得の処理制御手順を確立することができる。
【図面の簡単な説明】
【００２２】
【図１】本実施の形態に係り、（Ａ）は通信回線網に、異なる機種の画像形成装置が接続されたシステム図、（Ｂ）はＰＣの制御ブロック図である。
【図２】本実施の形態に係る第１の画像形成装置の外観図である。
【図３】本実施の形態の第１の画像形成装置で実行される面付け状態を示すロール紙の平面図であり、（Ａ）は３面付け、（Ｂ）は４面付けを示す。
【図４】本実施の形態の第１の画像形成装置で実行される面付け処理（３面付け）で用紙フル印刷処理を行った場合の遷移図であり、（Ａ）は基となる原稿の画像のサイズ（標準）を示す平面図、（Ｂ）は標準サイズで面付けしたときの平面図、（Ｃ）は標準サイズの画像を拡大して面付けしたときの平面図である。
【図５】本実施の形態の第１の画像形成装置で実行される面付け処理（３面付け）で用紙フル印刷処理を行った場合の遷移図であり、（Ａ）は基となる原稿の画像のサイズ（標準）を示す平面図、（Ｂ）は標準サイズで面付けしたときの平面図、（Ｃ）は標準サイズの画像を縮小して面付けしたときの平面図である。
【図６】本実施の形態に係る第２の画像形成装置の外観図である。
【図７】本実施の形態の異なる機種の画像形成装置の制御ブロック図である。
【図８】面付け情報取得画像が表示された表示画面（ＰＣのＵＩ）の正面図である。
【図９】用紙サイズ設定画像が表示された表示画面（ＰＣのＵＩ）の正面図である。
【図１０】本実施の形態に係り、ＰＣで実行される代替画像処理制御のための機能ブロック図である。
【図１１】本実施の形態に係り、ＰＣで実行される代替画像処理を実行する制御フローチャートである。
【図１２】印刷イメージ確認画像が表示された表示画面（ＰＣのＵＩ）の正面図である。
【発明を実施するための形態】
【００２３】
一般的に、画像処理とは信号化された画像情報に対して情報処理することをいい、印刷とは、用紙等に文字、絵、及び写真等の画像を形成し再現することをいう。本明細書では、広義として、画像処理と印刷（印刷は、「画像形成」、「プリント」等と言う場合もある）とを同義として扱うが、必要に応じて、狭義として、印刷は、直接的に用紙に画像を再現する処理に特化し、画像処理は、印刷の他、データ処理、搬送制御、後処理を含むものとする。
【００２４】
図１（Ａ）に示される如く、本実施の形態に係る通信回線網１０には、連続紙を対象として画像を印刷する第１の画像形成装置１２Ａと、カット紙を対象として画像を印刷する第２の画像形成装置１２Ｂが接続されている。なお、総称する場合、画像形成装置１２という。
【００２５】
図１（Ａ）では、それぞれ１機の第１の画像形成装置１２Ａ及び１機の第２の画像形成装置１２Ｂが接続されているが、この数は限定されるものではなく、それぞれ２機以上であってもよい。
【００２６】
通信回線網１０には、画像処理制御装置の一例としての複数のＰＣ（パーソナルコンピュータ）１４が接続されている。図１（Ａ）では、２台のＰＣ１４が接続されているが、この数は限定されるものではなく、１台でもよいし、３台以上であってもよい。また、画像処理制御装置としては、ＰＣ１４に限定されるものではなく、さらには有線接続である必要もない。すなわち、無線によって情報を送受信する通信回線網であってもよい。
【００２７】
図１（Ａ）に示される如く、画像形成装置１２では、ＰＣ１４から当該画像形成装置１２に対して、遠隔で、例えばデータを転送して印刷（プリント）指示操作を行なう。なお、第２の画像形成装置１２Ｂでは、印刷以外の機能として、例えば、複写（コピー）、スキャン（画像読取）、ファクシミリ送受信等を備え、使用者（ユーザー）が第２の画像形成装置１２Ｂの前に立ち、各種操作によって、印刷以外の機能の処理を指示する場合がある。
【００２８】
図１（Ｂ）に示される如く、ＰＣ１４は、ＣＰＵ１４Ａ、ＲＡＭ１４Ｂ、ＲＯＭ１４Ｃ、入出力部（Ｉ／Ｏ）１４Ｄ、及びこれらを接続するデータバスやコントロールバス等のバス１４Ｅを備えている。Ｉ／Ｏ１４Ｄには、ＵＩ（ユーザーインターフェイス）１４Ｆ、及び大規模記憶媒体としてハードディスク１４Ｇが接続されている。また、Ｉ／Ｏ１４Ｄには、ネットワークＩ／Ｆ（インターフェイス）１４Ｈを介して、通信回線網１０から受け付ける画像データを一時的に格納する。
【００２９】
（第１の画像形成装置１２Ａ）
図２には、本実施形態に係る第１の画像形成装置１２Ａが示されている。
【００３０】
第１の画像形成装置１２Ａは、メインコントローラ１６、ＭＣＵ（Machine Control Unit）１８、印刷部２０、給紙部２２、後処理部２４、排紙部２６を備えている。
【００３１】
メインコントローラ１６には、ＵＩ（ユーザーインターフェイス）２８が接続されている。
【００３２】
ＵＩ２８は、印刷実行指示、印刷中止指示を含み、ユーザーの操作によって印刷処理に関する指示を入力するための入力機能と、第１の画像形成装置１２Ａの印刷処理に関する情報を表示する表示機能とを備える。
【００３３】
また、メインコントローラ１６は、通信回線網１０に接続されており、外部から印刷のための画像データを受け付ける。なお、図示は省略したが、ＵＳＢ等の記憶媒体から画像データを読み取るリーダーを備えることで、通信回線網１０に限定されることなく、画像データは受付可能である。
【００３４】
メインコントローラ１６では、印刷実行指示があると、ＭＣＵ１８に対して印刷の実行を指示する。ＭＣＵ１８では、給紙部２２、後処理部２４、及び排紙部２６を含む搬送制御系を制御して用紙Ｐを搬送すると共に、印刷部２０を制御して、受け付けた画像データに基づいて印刷が実行される。
【００３５】
給紙部２２には、長尺状（ロール状）の用紙Ｐが装填されるようになっており、搬送系は、例えば、デバイスである図示しないモータの駆動力で回転する搬送ローラによって、用紙Ｐを搬送する。搬送駆動系では、給紙部２２に装填された用紙Ｐを最外層から引き出し、図１（Ａ）の矢印Ａ方向に送り出すと共に、印刷部２０で印刷が終了した用紙Ｐを、後処理部２４を介して排紙部２６へ送り出す。
【００３６】
印刷部２０の一例としては、感光体を備え、感光体の周囲には、感光体を一様に帯電する帯電装置と、画像データに基づいて光ビーム（レーザー又はＬＥＤ）を走査する走査露光部と、走査露光部によって走査露光されることで形成された静電潜像を現像する画像現像部と、現像化された感光体上の画像を用紙Ｐへ転写する転写部と、転写後の感光体の表面をクリーニングするクリーニング部と、が設けられている。また、用紙Ｐの搬送経路上には、転写後の用紙Ｐ上の画像を定着する定着部を備えている。
【００３７】
なお、印刷部２０としては、静電潜像を用いて画像形成処理するものに限定されず、インクをノズルから吐出するインクジェット型、又は、凸版印刷、凹版印刷に代表される様々な画像形成処理形態が適用可能である。
【００３８】
後処理部２４は、一例として、第１断裁部２４Ａ及び第２断裁部２４Ｂを備える。
【００３９】
第１断裁部２４Ａは、用紙Ｐの搬送方向と交差する方向に沿って用紙Ｐを断裁する機能を有し、また、第２断裁部２４Ｂは、用紙Ｐの搬送方向に沿って用紙Ｐを断裁する機能を有する。なお、後処理部２４の機能は、断裁に限定されるものではなく、折り処理、綴じ処理、及び製本（冊子作成）処理といった全ての後処理を選択的に適用することが可能である。
【００４０】
第１の画像形成装置１２Ａでは、連続紙であるロール紙Ｐに対して、受け付けた画像データを、予め指定された印刷情報である連続紙プリンタ情報（面付け情報及び用紙フル印刷指示情報を含む）に基づいて、各頁の画像を面付けする。
【００４１】
面付けは、ロール紙Ｐのサイズ（幅寸法）に応じて予め設定した１単位の領域（１物理用紙）毎に、複数頁の画像を面付けする。
【００４２】
図３（Ａ）に示される如く、面付け情報が、「３面付け」の場合は、１物理用紙の領域Ｐ１に、３頁分の画像３０Ａ、３０Ｂ、３０Ｃが面付けされることになる。この場合、ロール紙Ｐの長手方向が、画像の短手方向となる（縦１：横３）。
【００４３】
一方、図３（Ｂ）に示される如く、面付け情報が、「４面付け」の場合は、１物理用紙の領域Ｐ２に、４頁分の画像３２Ａ、３２Ｂ、３２Ｃ、３２Ｄが面付けされることになる。この場合、ロール紙Ｐの長手方向が、画像の長手方向となる（縦２：横２）。
【００４４】
また、１物理用紙に面付けする場合、基となる原稿の画像データが、予め指定された用紙フル印刷指示情報に基づいて、編集処理（拡大処理又は縮小処理）される。この用紙フル印刷指示情報は、「実行する」又は「実行しない」の何れかの選択が可能である。
【００４５】
図４は、用紙フル印刷指示情報を実行する場合について、面付け情報として、「３面付け」が指定された場合を示した面付けの概念図である。
【００４６】
図４（Ａ）は、１頁分の基となる原稿３４のサイズを示しており、図４（Ｂ）は、図４（Ａ）のサイズ（標準サイズ）で、３頁分の画像３４Ａ、３４Ｂ、３４Ｃをロール紙Ｐの１物理用紙の領域Ｐ１に面付けした場合を示している。
【００４７】
図４（Ｂ）では、ロール紙Ｐの長手方向及び幅方向に、余白３６以外のスペース３８が存在しており、１物理用紙Ｐ１に無駄が発生する。
【００４８】
そこで、用紙フル印刷指示が「実行する」とされている場合、図４（Ｃ）に示される如く、図４（Ａ）に示す基となる原稿３４の画像データの標準サイズを、長手方向又は幅方向の何れかのスペース３８がなくなるまでアスペクト比（縦横比）を変えずに拡大する。
【００４９】
次に、図５は、用紙フル印刷指示情報を実行する場合について、面付け情報として、「３面付け」が指定された場合を示した面付けの概念図である。
【００５０】
図５（Ａ）は、１頁分の基となる原稿４０のサイズを示しており、図５（Ｂ）は、図５（Ａ）のサイズ（標準サイズ）で、３頁分の画像４０Ａ、４０Ｂ、４０Ｃをロール紙Ｐの１物理用紙の領域Ｐ１に面付けした場合を示している。
【００５１】
図５（Ｂ）では、ロール紙Ｐの幅方向に、余白４２及び１物理用紙Ｐ１から画像がはみ出している。
【００５２】
この場合、通常、用紙フル印刷指示は、「実行する」を指定する。「実行する」とされている場合、図５（Ｃ）に示される如く、図５（Ａ）に示す基となる原稿４０の画像データのサイズを、幅方向のはみ出し（余白４２を含む）がなくなるまでアスペクト比（縦横比）を変えずに縮小する。この場合、用紙Ｐの長手方向に、余白以外のスペース４４が発生するが、画像４０Ａ、４０Ｂ、４０Ｃは、余白４２の内側である、適正な１物理領域Ｐ１の印刷範囲に印刷される。
【００５３】
（第２の画像形成装置１２Ｂ）
図６には、本実施の形態に係る第２の画像形成装置１２Ｂが示されている。
【００５４】
第２の画像形成装置１２Ｂは、記録用紙に画像を形成する画像形成部５０と、原稿画像を読み取る画像読取部５２と、ファクシミリ通信制御回路５４を備えている。
【００５５】
第２の画像形成装置１２Ｂは、メインコントローラ５６を備えており、画像形成部５０、画像読取部５２、ファクシミリ通信制御回路５４を統括的に制御する。例えば、メインコントローラ５６では、画像読取部５２で読み取った原稿画像の画像データを一時的に記憶したり、読み取った画像データを画像形成部５０又はファクシミリ通信制御回路５４へ送出したりする。
【００５６】
画像読取部５２は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００５７】
画像形成部５０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を用紙へ転写する転写部と、転写後の感光体の表面をクリーニングするクリーニング部と、が設けられている。また、用紙の搬送経路上には、転写後の用紙上の画像を定着する定着部を備えている。
【００５８】
第２の画像形成装置１２Ｂは、記録用紙を収容する複数段のトレイユニット５８が設けられている。各トレイユニット５８には、サイズの異なるカット紙が装填可能である。
【００５９】
表１は、各トレイユニット５８に選択的に装填可能な用紙種類とサイズの関係の一例を示したものである。
【００６０】
Ａ３、Ａ４、Ａ５、Ｂ４、及びＢ５はそれぞれＪＩＳ規格のサイズである。また、ユーザー１及びユーザー２は、ＪＩＳ規格以外のサイズの用紙をユーザーが選択して装填した場合に、表１の「＊＊＊」に手動で縦サイズ及び横サイズを入力する。
【００６１】
なお、各トレイユニット５８に装填されるサイズは、表１に示す用紙種類に限定されるものではない。
【００６２】
【表１】
2018018244.tif 000003
この第２の画像形成装置１２Ｂの用紙サイズ情報は、第１の画像形成装置１２Ａで印刷するべき画像を第２の画像形成装置１２Ｂで印刷する、代替印刷のときに利用されるものである。なお、代替印刷に関しての詳細は後述する。
【００６３】
また、第２の画像形成装置１２Ｂの上部前方には、画像読取処理、複写処理、画像形成処理、送受信処理を含む処理動作（サービス）項目を指示したり、それぞれの処理動作の詳細設定を指示すると共に、第２の画像形成装置１２Ｂの状態を表示するためのユーザーインターフェイス６０（以下、「ＵＩ６０」という場合がある。）が配置されている。ＵＩ６０には、表示画面に操作者の指等を接触することで指示可能なタッチパネル部６２と、機械的動作（例えば、押圧動作）で指示可能な複数のハードキー（図示省略）が設けられたハードキー配列部６４とが設けられている。
【００６４】
メインコントローラ５６には通信回線網１０が接続され、ファクシミリ通信制御回路５４には電話回線網６６が接続されている。メインコントローラ５６は、例えば、通信回線網１０を介してＰＣ１４（図１参照）と接続され、画像データを受信したり、ファクシミリ通信制御回路５４を介して電話回線網６６を用いてファクシミリ受信及びファクシミリ送信を実行する役目を有している。
【００６５】
本実施の形態の第２の画像形成装置１２Ｂでは、上記画像形成部５０、画像読取部５２、ファクシミリ通信制御回路５４を用いて、スキャン、複写、プリント、ファクシミリ送信、ファクシミリ受信、受信後のプリントを含むサービス（処理形態）が実行可能である。
【００６６】
図７は、本実施の形態に係る第１画像形成装置１２Ａ及び第２の画像形成装置１２Ｂの制御系のブロック図である。
【００６７】
（第１の画像形成装置１２Ａ）
メインコントローラ１６は、ＣＰＵ６８、ＲＡＭ７０、ＲＯＭ７２、入出力部（Ｉ／Ｏ）７４、及びこれらを接続するデータバスやコントロールバス等のバス７３を備えている。Ｉ／Ｏ７４には、大規模記憶媒体としてハードディスク７６が接続されている。また、Ｉ／Ｏ７４には、ネットワークＩ／Ｆ（インターフェイス）７８を介して、通信回線網１０から受け付ける画像データを一時的に格納する。さらに、Ｉ／Ｏ７４には、ＭＣＵ１８及びＵＩ２８が接続されている。
【００６８】
ＭＣＵ１８は、図示は省略したが、メインコントローラ１６と同様に、ＣＰＵ、ＲＡＭ、ＲＯＭ、Ｉ／Ｏ及びバスを備えたマイクロコンピュータを主体とした制御系を備え、印刷部２０の各種デバイス及びセンサの制御を実行する。
【００６９】
（第２の画像形成装置１２Ｂ）
メインコントローラ５６は、ＣＰＵ８０、ＲＡＭ８２、ＲＯＭ８４、入出力部（Ｉ／Ｏ）８６、及びこれらを接続するデータバスやコントロールバス等のバス８８を備えている。Ｉ／Ｏ８６には、大規模記憶媒体としてハードディスク９０が接続されている。また、Ｉ／Ｏ８６には、ネットワークＩ／Ｆ（インターフェイス）９２を介して、通信回線網１０から受け付ける画像データを一時的に格納する。さらに、Ｉ／Ｏ８６には、主として画像形成部５０による画像形成処理を制御するＭＣＵ９４及びＵＩ６０が接続されている。
【００７０】
ＭＣＵ９４は、図示は省略したが、メインコントローラ５６と同様に、ＣＰＵ、ＲＡＭ、ＲＯＭ、Ｉ／Ｏ及びバスを備えたマイクロコンピュータを主体とした制御系を備え、画像形成部５０の各種デバイス及びセンサの制御を実行する。
【００７１】
（基機（被代替機）と代替機との関係）
本実施の形態では、第１の画像形成装置１２Ａが基機（被代替機）として適用され、第２の画像形成装置１２Ｂが代替機として適用される場合がある。
【００７２】
この場合、第１の画像形成装置１２Ａにおいて指示される印刷情報が、第２の画像形成装置１２Ｂでは把握されていない。
【００７３】
特に、印刷情報の内、用紙フル印刷指示が「実行する」とされている場合は、基となる原稿３４（図４参照）の画像データのサイズが編集処理（拡大処理又は縮小処理）されており、当該編集処理後の状態を忠実に再現して印刷するためには、オペレータの手作業により、第１の画像形成装置１２Ａから印刷情報（面付け情報及び用紙フル印刷指示情報）の取得、並びに、取得した印刷情報に基づく第２の画像形成装置１２Ｂへの印刷設定が必要となる。
【００７４】
そこで、本実施の形態では、第１の画像形成装置１２Ａから印刷情報（面付け情報及び用紙フル印刷指示情報）の取得、並びに、取得した印刷情報に基づく第２の画像形成装置１２Ｂへの印刷設定を、自動的に実行可能な代替画像処理制御手順を確立した。
【００７５】
（事前処理１）
代替画像処理制御をＰＣ１４で実行する場合の事前設定として、ＰＣ１４では、第１の画像形成装置１２Ａにおける連続紙プリンタ情報（面付け情報、用紙フル印刷指示情報）のデータベースを予め取得しておく。
【００７６】
図８は、ＰＣ１４のＵＩ１４Ｆに表示され、第１の画像形成装置１２Ａの連続紙プリンタ情報を取得するための取得画面９６である。
【００７７】
この取得画面９６に基づき、第２の画像形成装置１２Ｂから、連続紙プリンタ情報を収録する。具体的には、プリンタ名、機種名、ＩＰアドレスで、取得対象の第１の画像形成装置１２Ａを定義し、取得方法を指定する。
【００７８】
ＦＴＰ（File Transfer Protocol）取得の場合は、ＦＴＰでログインするためのユーザー名、パスワードが必要となるため、当該ユーザー名、パスワードを別途指定する。
【００７９】
また、ネットワークドライブの場合は、ＵＮＣ（Universal Naming Convention）形式で第１の画像形成装置１２Ａの共有フォルダを指定する。この場合、第１の画像形成装置１２Ａでは、連続紙プリンタ情報が格納されているフォルダを共有設定する必要がある。
【００８０】
ＵＩ１４Ｆの操作としては、ＦＴＰ又はネットワークドライブの何れかの方法を選択し、必要な情報を指定後、「取得」ボタンを指定（タッチ操作）して、連続紙プリンタ情報を読み込み、面付け定義名毎に、各項目（「用紙サイズ」、「面付け」、「用紙フル印刷指示」）を、一覧表として表示する。ユーザーは、一覧表に表示された内容を確認後、「保存」ボタンを指定（タッチ操作）して、ハードディスク１４Ｇに格納する。
【００８１】
なお、本実施の形態のＵＩ１４Ｆに表示される取得画面９６では、ＦＴＰによる取得と、ネットワークドライブによる取得とを選択方式としているが、その他の取得方式であってもよい。
【００８２】
また、連続紙プリンタ情報のデータベースは、予め取得することは必須ではなく、代替印刷の都度、通信回線網１０を介して、取得するようにしてもよい。
【００８３】
（事前処理２）
代替画像処理制御をＰＣ１４で実行する場合の事前設定として、ＰＣ１４では、代替印刷に利用可能な第２の画像形成装置１２Ｂの用紙サイズ情報のデータベースを予め取得しておく。
【００８４】
図９は、ＰＣ１４のＵＩ１４Ｆに表示され、第２の画像形成装置１２Ｂの用紙サイズを設定する設定画面９８である。
【００８５】
設定画面９８では、第２の画像形成装置１２Ｂで利用可能な用紙種類、用紙方向、用紙サイズを指定し、設定画面９８の一覧表に追加登録する。
【００８６】
定型サイズ（例えば、ＪＩＳ規格サイズ）の用紙種類を選択した場合は、用紙方向に応じて用紙サイズ値が自動設定される。また、非定型サイズの用紙種類を指定した場合は、用紙サイズは手入力となる。
【００８７】
一覧表内のチェックボックスで、「編集」又は「削除」する用紙種類を指定可能である。また、「保存」ボタンを指定（タッチ操作）して、一覧表に表示された用紙サイズ情報データベースをハードディスク１４Ｇに格納する。
【００８８】
なお、用紙サイズ情報のデータベースは、予め取得することは必須ではなく、代替印刷の都度、通信回線網１０を介して、取得するようにしてもよい。
【００８９】
図１０は、ＰＣ１４で実行される、代替画像処理制御のための機能ブロック図である。なお、この図１０の各ブロックは、代替のための画像処理制御に特化し、かつ機能別に分類したものであり、ＰＣ１４のハード構成を限定するものではない。
【００９０】
受付部１００では、印刷ジョブを受け付ける。受付部１００で印刷ジョブを受け付けると、当該印刷ジョブに関する情報を解析部１０２へ送出する。
【００９１】
解析部１０２では、印刷ジョブを解析して、ジョブＩＤ、原稿サイズ、用紙方向、及び画像データに分類する。
【００９２】
解析部１０２は、連続紙プリンタ情報読出部１０４、演算部１０６、及び出力部１０８に接続されている。
【００９３】
解析部１０２は、ジョブＩＤを連続紙プリンタ情報読出部１０４に送出する。連続紙プリンタ情報読出部１０４では、取得したジョブＩＤに基づいて、ハードディスク１４Ｇから連続紙プリンタ情報を読み出す。連続紙プリンタ情報は、面付け情報と用紙フル印刷指示情報とからなり、ジョブＩＤによって特定される。
【００９４】
連続紙プリンタ情報読出部１０４は、要否判定部１１０及び演算部１０６に接続されている。
【００９５】
連続紙プリンタ情報読出部１０４では、要否判定部１１０へ用紙フル印刷指示情報を送出する。要否判定部１１０では、用紙フル印刷指示が、「実行する」であるか、「実行しない」であるか、すなわち実行の要否を判定し、判定結果を演算部１０６へ送出する。
【００９６】
演算部１０６は、解析部１０２から原稿サイズ及び用紙方向を取得し、前記連続紙プリンタ情報読出部１０４から面付け情報を取得し、要否判定部１１０から用紙フル印刷の実行の要否情報を取得しており、面付けの配置において、用紙フル印刷実行が必要（実行有り）の場合には、サイズ判定、サイズ判定結果に基づく画像の拡大率又は縮小率の演算が実行される。
【００９７】
演算部１０６は、頁サイズ決定部１１２に接続されている。頁サイズ決定部１１２は、演算部１０６から画像の拡大率又は縮小率（拡大及び縮小無しを含む）に関する情報を受け取ると、頁サイズを決定する。
【００９８】
頁サイズ決定部１１２は、用紙サイズ決定部１１４及び用紙サイズ情報読出部１１６に接続されている。頁サイズ決定部１１２では、決定した頁サイズを用紙サイズ決定部１１４へ送出すると共に、用紙サイズ情報読出部１１６に対して、ハードディスク１４Ｇから用紙サイズ情報を読み出すように指示する。
【００９９】
用紙サイズ情報読出部１１６では、読み出した用紙サイズ情報を用紙サイズ決定部１１４へ送出する。
【０１００】
用紙サイズ決定部１１４では、頁サイズに基づいて最適な用紙サイズを決定し、決定した用紙サイズ情報を出力部１０８へ送出する。
【０１０１】
出力部１０８には、解析部１０２からジョブＩＤと画像データとを取得しており、当該ジョブＩＤで管理された画像データと、用紙サイズ情報とを、第２の画像形成装置１２Ｂへ出力する。
【０１０２】
これにより、第２の画像形成装置１２Ｂでは、第１の画像形成装置１２Ａで印刷する条件と同一の条件（特に、画像の拡大又は縮小条件）で、最適な用紙サイズの用紙に印刷がなされることになる。
【０１０３】
以下に本実施の形態の作用を説明する。
【０１０４】
図１１は、ＰＣ１４で実行される代替画像処理を実行する制御フローチャートである。
【０１０５】
ステップ１５０では、印刷ジョブを受け付けたか否かが判断され、否定判定された場合は、このルーチンは終了する。
【０１０６】
また、ステップ１５０で肯定判定されると、ステップ１５２へ移行して、解析部１０２（図１０参照）により、受け付けた印刷ジョブの印刷属性を解析して、原稿サイズと用紙方向を取得して、ステップ１５４へ移行する。
【０１０７】
ステップ１５４では、予めハードディスク１４Ｇに格納されている連続紙プリンタ情報データベースから、ジョブＩＤに基づき、連続紙プリンタ情報（面付け情報及び用紙フル印刷指示情報）を読み出し、ステップ１５６へ移行する。
【０１０８】
ステップ１５６では、用紙フル印刷指示情報の要否判定を行う。このステップ１５６で、用紙フル印刷指示情報を実行すると判定した場合は、ステップ１５８へ移行する。また、ステップ１５６で用紙フル印刷指示情報を実行しないと判断した場合は、ステップ１６８へ移行する。
【０１０９】
ステップ１５８では、面付け情報と原稿サイズとから原稿の面付け配置を行う。すなわち、面付け情報の縦横割り付け値に基づき、原稿サイズの縦横サイズをそれぞれ加算して、ステップ１６０へ移行する。
【０１１０】
ステップ１６０では、原稿サイズの縦横方向の加算サイズが、第１の画像形成装置１２Ａの用紙サイズの縦横方向を超えているか否かを判断する。
【０１１１】
このステップ１６０で肯定判定、すなわち、サイズを超えていると判断した場合は、ステップ１６２へ移行して、原稿サイズの縦横方向の加算後の値と、第１の画像形成装置１２Ａの用紙サイズとを比較して、誤差比率の大きい方に基づいて、原稿サイズの縮小率を演算し、ステップ１６８へ移行する。これは、比率の小さい方向で縮小率を演算すると、他方が第１の画像形成装置１２Ａの用紙サイズからはみ出すためである。
【０１１２】
一方、ステップ１６０で否定判定、すなわち、サイズを超えていないと判断した場合は、ステップ１６４へ移行して、原稿サイズの縦横方向の加算後の値と、第１の画像形成装置１２Ａの用紙サイズとを比較して、余白が存在するか否かを判断する。
【０１１３】
このステップ１６４で肯定判定されると、原稿サイズの縦横方向の加算値の値が、第１の画像形成装置１２Ａの用紙サイズよりも小さいと判断し（余白有りと判断し）、ステップ１６６へ移行して、差の小さい方に基づいて、原稿サイズの拡大率を演算し、ステップ１６８へ移行する。これは、差が大きい方向で拡大率を演算すると、他方が第１の画像形成装置１２Ａの用紙サイズをはみ出すためである。
【０１１４】
なお、ステップ１６４で、否定判定された場合は、サイズも超えておらず（ステップ１６０での否定判定）、スペース４４もないということになり、等倍であると判断し、縮小演算及び拡大演算を行わず、等倍としてステップ１６８へ移行する。
【０１１５】
ステップ１６８では、原稿サイズに縮小率又は拡大率を掛け合わせ（等倍の場合は、１を掛け合わせ）、頁サイズを決定し、ステップ１７０へ移行する。
【０１１６】
ステップ１７０では、予めハードディスク１４Ｇに格納した用紙サイズ情報データベースを読み出し、次いでステップ１７２へ移行して、ステップ１６８で決定した頁サイズに基づいて、第２の画像形成装置１２Ｂの用紙サイズを決定し、ステップ１７４へ移行する。
【０１１７】
用紙サイズの決定は、頁サイズ決定部１１２から通知される頁サイズ、用紙方向に基づいて、用紙サイズ情報データベースに格納されている用紙サイズから、頁サイズを満たす用紙サイズを検索する。なお、用紙サイズ情報データベースが、ＰＯＲＴＲＡＩＴ（縦長）で作成されている場合、用紙方向がＰＯＲＴＲＡＩＴ（縦長）であれば、縦・横サイズを逆転して検索すればよい。
【０１１８】
ステップ１７４では、ジョブＩＤで管理された画像データと、用紙サイズ情報とを第２の画像形成装置１２Ｂへ送出する。
【０１１９】
本実施の形態によれば、第１の画像形成装置１２Ａである連続紙プリンタで面付け処理、及び用紙フル印刷による編集処理（拡大又は縮小）して印刷する代替として、第２の画像形成装置１２Ｂであるカット紙プリンタを用いる場合に、面付け処理、及び用紙フル印刷による編集処理を考慮し、連続紙プリンタで実行する印刷結果と同等の印刷結果で代替処理することが可能となる。
【０１２０】
なお、本実施の形態では、代替画像処理制御を、第１の画像形成装置１２Ａ及び第２の画像形成装置１２Ｂから独立した制御系であるＰＣ１４で実行したが、画像情報を一括して管理する管理サーバーで実行してもよい。
【０１２１】
また、代替画像処理制御を、被代替機である第１の画像形成装置１２Ａ（連続紙プリンタ）のメインコントローラ１６で行ってもよい。この場合は、図１０に示すハードディスク１４Ｇは、第１の画像形成装置１２Ａのハードディスク７６に置き換えればよく、連続紙プリンタ情報は自身で保持しているため、事前取得するのは、第２の画像形成装置１２Ｂの用紙サイズ情報となる（事前処理１は不要、事前処理２は必要）。
【０１２２】
さらに、代替画像処理制御を、代替機である第２の画像形成装置１２Ｂ（カット紙プリンタ）のメインコントローラ５６で行ってもよい、この場合、図１０に示すハードディスク１４Ｇは、第２の画像形成装置１２Ｂのハードディスク９０に置き換えればよく、用紙サイズ情報は自身で保持しているため、事前取得するのは、第１の画像形成装置１２Ａの連続紙プリンタ情報となる（事前処理１は必要、事前処理２は不要）。
【０１２３】
代替印刷の実行を必要とする状況（需要）としては、第１の画像形成装置１２Ａが他の印刷ジョブで稼働中の場合、又は、第２の画像形成装置１２Ｂで特有の処理（固有の画質、紙質等）を必要とする場合等が挙げられる。
【０１２４】
また、第１の画像形成装置１２Ａの印刷部２０が故障又はメンテナンス中で使用不可のとき、代替印刷が実行される場合がある。
【０１２５】
なお、通信回線網１０は、ローカルなネットワークに限定されるものではなく、代替印刷のための情報を付加した印刷ジョブを、インターネット等の通信回線網１０によって送信することで、第１の画像形成装置１２Ａのみを所有するユーザーと、第２の画像形成装置１２Ｂのみを所有するユーザーとの間で、相互に代替印刷が可能である。
【０１２６】
また、本実施の形態では、印刷ジョブを受け付けた後、ジョブＩＤで管理された画像データと、用紙サイズ情報とを第２の画像形成装置１２Ｂへ出力するようにしたが、出力する前に、図１２に示される如く、ＵＩ１４Ｆに印刷イメージを確認する確認画面１１８を表示するようにしてもよい。
【０１２７】
例えば、図１２に示される如く、確認画面１１８には、用紙サイズ（図１２では実線表記）、基となる原稿の画像サイズ（図１２では点線表記）、及び印刷サイズ（図１２では鎖線表記）が表示され、ユーザーがこの表示状態を確認した後、よければ、「ＯＫ」ボタンの指定（タッチ操作）することで、ＭＣＵ９４へ画像データと、編集情報と、用紙サイズ情報とが出力される。なお、図１２の確認画面には表示を省略したが、代替印刷を中止する「キャンセル」ボタンや、演算処理を再実行する「再実行」ボタン等を設定してもよい。
【符号の説明】
【０１２８】
１０    通信回線網
１２    画像形成装置
１２Ａ    第１の画像形成装置
１２Ｂ    第２の画像形成装置
１４    ＰＣ
１４Ａ    ＣＰＵ
１４Ｂ    ＲＡＭ
１４Ｃ    ＲＯＭ
１４Ｄ    入出力部（Ｉ／Ｏ）
１４Ｅ    バス
１４Ｆ    ＵＩ
１４Ｇ    ハードディスク
１４Ｈ    ネットワークＩ／Ｆ
１６    メインコントローラ
１８    ＭＣＵ
２０    印刷部
２２    給紙部
２４    後処理部
２４Ａ    第１断裁部
２４Ｂ    第２断裁部
２６    排紙部
２８    ＵＩ
３０Ａ、３０Ｂ、３０Ｃ    画像
３２Ａ、３２Ｂ、３２Ｃ、３２Ｄ    画像
３４    原稿
３４Ａ、３４Ｂ、３４Ｃ    画像
３６    余白
３８    スペース
４０    原稿
４０Ａ、４０Ｂ、４０Ｃ    画像
４２    余白
４４    スペース
５０    画像形成部
５２    画像読取部
５４    ファクシミリ通信制御回路
５６    メインコントローラ
５８    トレイユニット
６０    ＵＩ
６２    タッチパネル部
６４    ハードキー配列部
６６    電話回線網
６８    ＣＰＵ
７０    ＲＡＭ
７２    ＲＯＭ
７３    バス
７４    入出力部（Ｉ／Ｏ）
７６    ハードディスク
７８    ネットワークＩ／Ｆ
８０    ＣＰＵ
８２    ＲＡＭ
８４    ＲＯＭ
８６    入出力部（Ｉ／Ｏ）
８８    バス
９０    ハードディスク
９２    ネットワークＩ／Ｆ
９６    取得画面
９８    設定画面
１００    受付部
１０２    解析部
１０４    連続紙プリンタ情報読出部
１０６    演算部
１０８    出力部
１１０    要否判定部
１１２    頁サイズ決定部
１１４    用紙サイズ決定部
１１６    用紙サイズ情報読出部
Ｐ    用紙
Ｐ１    領域（１物理用紙）
Ｐ２    領域（１物理用紙）
【図１】
2018018244.tif 000004
【図２】
2018018244.tif 000005
【図３】
2018018244.tif 000006
【図４】
2018018244.tif 000007
【図５】
2018018244.tif 000008
【図６】
2018018244.tif 000009
【図７】
2018018244.tif 000010
【図８】
2018018244.tif 000011
【図９】
2018018244.tif 000012
【図１０】
2018018244.tif 000013
【図１１】
2018018244.tif 000014
【図１２】
2018018244.tif 000015